(57)【要約】【課題】キャップを開閉する作業を容易化することができるスパウトを提供する。【解決手段】スパウトは、中空の円筒形状を有する筒部と、筒部の外周面に設けられたフランジ部と、中空の溶着部とを備えている。溶着部は対向して設けられた一対の平坦面を含む。【選択図】図１
2018131256.tif 000002
【特許請求の範囲】
【請求項１】
流動性を有する内容物を収容するパウチに取り付けられるスパウトであって、
中空の円筒形状を有する筒部と、
前記筒部の外周面に設けられたフランジ部と、
前記筒部の下方に設けられ、前記パウチに溶着される中空の溶着部とを備え、前記溶着部は対向して設けられた一対の平坦面を含む、スパウト。
【請求項２】
前記一対の平坦面は互いに平行に配置されている、請求項１記載のスパウト。
【請求項３】
前記一対の平坦面に、前記パウチとの溶着性を高めるリブが設けられている、請求項１または２記載のスパウト。
【請求項４】
前記溶着部の下方部に、閉塞防止部材が設けられている、請求項１乃至３のいずれか記載のスパウト。
【請求項５】
流動性を有する内容物を収容するパウチと、
前記パウチに取り付けられたスパウトと、
前記スパウトに着脱自在に取り付けられたキャップと、を備え、
前記スパウトは、中空の円筒形状を有する筒部と、前記筒部の外周面に設けられたフランジ部と、前記筒部の下方に設けられ、前記パウチに溶着される溶着部とを備え、
前記溶着部は対向して設けられた一対の平坦面を含む、スパウト付きパウチ。
【発明の詳細な説明】
【技術分野】
【０００１】
本発明は、中空の円筒形状を有する筒部と、筒部の外周面に設けられたフランジ部と、パウチ用の溶着部とを備えたスパウトに関する。また本発明は、スパウトが取り付けられたスパウト付きパウチに関する。
【背景技術】
【０００２】
自立性袋、ガゼット型袋等の種々の形態からなる、プラスチック製の軟包装材から構成された袋容器（以下、パウチとも称する）が知られている。パウチは、例えば、ジュース類、果汁類、ゼリー状飲料、栄養ドリンク剤等の飲料品や、調味料、その他種々の飲食品などの、流動性を有する内容物を収容するために利用されている。
【０００３】
特に近年、これらのパウチにおいては、その開封を容易にし、かつ内容物の飲料を容易に、あるいは、内容物を注ぎやすくするために、パウチの上部にスパウトを取り付けてなるスパウト付きパウチが提案されている。スパウトは、パウチの内部に連通する貫通孔が形成された筒部と、筒部下方の溶着部を有している。また、パウチ内の内容物を一度では使い切らないような用途の場合、スパウトは、スパウトの貫通孔を封止するキャップが脱着され得るように構成されている。例えば特許文献１−２は、キャップが螺着され得るよう構成されたスパウトが取り付けられたパウチを開示している。
【先行技術文献】
【特許文献】
【０００４】
【特許文献１】特開平１０−１２００００号公報
【特許文献２】特開２００７−１５３４２７３号公報
【発明の概要】
【発明が解決しようとする課題】
【０００５】
ところで、消費者がキャップを開閉するとき、通常は消費者は、一方の手の指でスパウトのパウチ用溶着部を把持することによってパウチを保持し、他方の手でキャップを回転させる。この場合、パウチ用溶着部は一般に円筒形状を有しているため、パウチ用溶着部を把持した場合に、パウチ用溶着部を安定して保持することがむずかしい。
【０００６】
本発明は、このような課題を効果的に解決し得るスパウトおよびスパウト付きパウチを提供することを目的とする。
【課題を解決するための手段】
【０００７】
本発明は、流動性を有する内容物を収容するパウチに取り付けられるスパウトであって、中空の円筒形状を有する筒部と、前記筒部の外周面に設けられたフランジ部と、前記筒部の下方に設けられ、前記パウチに溶着される中空の溶着部とを備え、前記溶着部は対向して設けられた一対の平坦面を含む、スパウトである。
【０００８】
本発明は、前記一対の平坦面は互いに平行に配置されているスパウトである。
【０００９】
本発明は、前記一対の平坦面に、前記パウチとの溶着性を高めるリブが設けられているスパウトである。
【００１０】
本発明は、前記溶着部の下方部に、閉塞防止部材が設けられているスパウトである。
【００１１】
本発明は、流動性を有する内容物を収容するパウチと、前記パウチに取り付けられたスパウトと、前記スパウトに着脱自在に取り付けられたキャップと、を備え、前記スパウトは、中空の円筒形状を有する筒部と、前記筒部の外周面に設けられたフランジ部と、前記筒部の下方に設けられ、前記パウチに溶着される溶着部とを備え、前記溶着部は対向して設けられた一対の平坦面を含む、スパウト付きパウチである。
【発明の効果】
【００１２】
本発明によれば、スパウトの筒部の下方に溶着部が設けられ、この溶着部は一対の平坦面を有する。このためキャップの開閉時に消費者がその手の指で溶着部の一対の平坦面を把持する。このことにより消費者はスパウトの溶着部を安定して保持することができる。
【図面の簡単な説明】
【００１３】
【図１】図１は、本発明の実施の形態において、スパウトが取り付けられたスパウト付きパウチを示す正面図。
【図２】図２は、本発明の実施の形態によるスパウトを示す正面図。
【図３】図３は、本発明の実施の形態によるスパウトを示す側面図。
【図４】図４は、本発明の実施の形態によるスパウトを示す斜視図。
【図５】図５は、本発明の実施の形態によるスパウトの溶着部を示す底面図。
【発明を実施するための形態】
【００１４】
以下、図１乃至図５を参照して、本発明の実施の形態について説明する。まず図１を参照して、スパウト付きパウチ１０全体について説明する。図１は、本実施の形態によるスパウト付きパウチ１０を示す正面図である。
【００１５】
＜スパウト付きパウチ＞
図１に示すように、スパウト付きパウチ１０Ａは、第１フィルム１によって形成された第１面１１と第２フィルム２によって形成された第２面１２とを含むパウチ１０と、パウチ１０の上部の中央部に取り付けられたスパウト３０と、スパウト３０に着脱自在に取り付けられたキャップ５０とを備えている。以下、パウチ１０、スパウト３０およびキャップ５０についてそれぞれ説明する。
【００１６】
（パウチ）
パウチ１０は、流動性を有する内容物を収容するための充填部１３を含む。流動性を有する限りにおいて、充填部１３に充填される内容物が特に限られることはない。例えば、充填部１３に充填されている内容物として、ジュース類、果汁類、ゼリー状飲料、栄養ドリンク剤等の飲料品や、液体状または粉末状の調味料、その他種々の飲食品等を挙げることができる。
【００１７】
パウチ１０は例えば、第１面１１と第２面１２とが対向するように第１フィルム１および第２フィルム２を互いに熱溶着などによって接合することによって構成されている。第１フィルム１とは、パウチ１０の表面（図１に示されている側の面）を構成するフィルムのことであり、第２フィルム２とは、パウチ１０の裏面（表面の裏側にある面）を構成するフィルムのことである。図１において、第１フィルム１および第２フィルム２のうち熱溶着によって形成されたシール部が符号１４で示されている。また、シール部１４によって囲われた、内容物が収容される充填部が符号１３で示されている。なおパウチ１０の製造工程において、第１フィルム１および第２フィルム２は、互いに分離された別個のフィルムとして準備されてもよく、若しくは、一連のフィルムとして準備されてもよい。
【００１８】
内容物や気体を適切に密封することができる限りにおいて、パウチ１０のタイプが特に限られることはない。例えばパウチ１０は、第１フィルム１と第２フィルム２との間にマチが設けられる、いわゆるガセット式のパウチとして構成されていてもよい。そのようなマチは、パウチ１０の底部に設けられていてもよく、若しくはパウチ１０の側部に設けられていてもよい。本実施の形態においては、パウチ１０が、その側部にマチが設けられたいわゆるサイドガセット式のパウチである例について説明する。この場合、パウチ１０の両側部において、第１フィルム１と第２フィルム２との間にそれぞれ、二つ折りにされた第３フィルムおよび第４フィルムが挟み込まれる。これら第３フィルムおよび第４フィルムによって、マチ付きの側部が構成される。図１においては、二つ折りにされた第３フィルムおよび第４フィルムの折れ目がそれぞれ、符号３ａおよび４ａが付された点線で示されている。
【００１９】
図１に示すように、各フィルムを熱溶着することによって構成されるシール部１４は、パウチ１０の底部を構成する底部シール部１６と、パウチ１０の一方の側部に沿って上下方向に延びる第１側部シール部１７と、パウチ１０の他方の側部に沿って上下方向に延びる第２側部シール部１８と、パウチ１０の上部を構成する上部シール部１５と、を含んでいる。このうち第１側部シール部１７は、第１フィルム１および第３フィルム、並びに第２フィルム２および第３フィルムを互いに熱溶着することによって構成されたシール部である。また第２側部シール部１８は、第１フィルム１および第４フィルム、並びに第２フィルム２および第４フィルムを互いに熱溶着することによって構成されたシール部である。また上部シール部１５および底部シール部１６は、第１フィルム１および第３フィルム、第２フィルム２および第３フィルム、並びに第１フィルム１および第２フィルム２を互いに熱溶着することによって構成されたシール部である。なお上部シール部１５は、第１フィルム１とスパウト３０とを熱溶着することによって構成された部分、および、第２フィルム２とスパウト３０とを熱溶着することによって構成された部分をさらに含んでいる。
【００２０】
（スパウト）
次にスパウト３０について、図２乃至図５を参照して説明する。図２、図３および図４はそれぞれ、パウチ１０に取り付けられておらず、かつキャップ５０が取り付けられていない状態のスパウト３０を示す正面図、側面図および斜視図である。また図５は、スパウト３０の後述する溶着部４０Ａを示す底面図である。なお「上下方向」および「水平方向」という表現は、スパウト付きパウチ１０を水平面上に直立させた場合を基準とした表現である。
【００２１】
スパウト３０は、中空の円筒形状を有する筒部３１と、筒部３１の外周面に設けられたフランジ部３３と、筒部３１の下方に設けられ、パウチ１０の上部シ―ル部１５に溶着される中空の溶着部４０Ａとを備えている。図２および図３に示すように、筒部３１には貫通孔が形成されており、この貫通孔を介して、パウチ１０に収容された内容物が外部に注出される。本実施の形態において、スパウト３０のフランジ部３３Ａは、パウチ１０に最も近接する第１フランジ部３３と、第１フランジ部３３よりもキャップ５０側に位置する第２フランジ部３５と、第２フランジ部３５よりもキャップ５０側に位置する第３フランジ部３７と、を含んでいる。なお図示はしないが、筒部３１の外周面に設けられるフランジ部の数が特に限られることはない。例えば、フランジ部の数は１や２であってもよく、若しくは４以上であってもよい。各フランジ部３３，３５，３７の厚みは、例えば０．３〜２．０ｍｍの範囲内になっている。
【００２２】
上述のように、円筒形状の筒部３１の下方には中空の溶着部４０Ａが設けられている。この溶着部４０Ａはパウチ１０の第１フィルム１および第２フィルム２に上部シ―ル部１５において溶着される部分である。溶着部４０Ａは互いに対向する一対の平坦面４０と、この平坦面４０の両側に平坦面４０、４０から傾斜して延びる傾斜面４２と、傾斜面４２の先端に形成された先端部４１とを含む（図５参照）。
【００２３】
このうち一対の平坦面４０はパウチ１０を構成する第１フィルム１および第２フィルム２と平行に延び、一対の平坦面４０同士も平行に形成されている。そして各平坦面４０の幅Ｗは１０ｍｍとなっており、その高さＨは１０ｍｍとなっている。
【００２４】
また溶着部４０Ａの各平坦面４０には、第１フィルム１および第２フィルム２との溶着を容易に行なうことができるよう、複数の横リブ４０ａが形成されている。
【００２５】
また溶着部４０Ａの先端部４１も、第１フィルム１および第２フィルム２と平行して延びている。
【００２６】
そして、溶着部４０Ａはその平坦面４０、傾斜面４２および先端部４１において第１フィルム１および第２フィルム２と溶着される。
【００２７】
このように溶着部４０Ａは互いに平行する一対の平坦面４０を有するため、キャップ５０の開閉時にこの一対の平坦面４０を把持することによりスパウト３０を容易かつ確実に保持することができる。またスパウト３０の溶着部４０Ａを溶着する際、第１フィルム１および第２フィルム２を一対の平坦面４０に対して容易に溶着することができる。
【００２８】
さらにまた、溶着部４０Ａの下方部には中空の円筒形状をもつ細長状の閉塞防止部材５が設けられている。この閉塞防止部材５は開口５ａを有するとともにパウチ１０内に延びている。そして閉塞防止部材５は充填された内容物を排出する際、パウチ１０が閉塞することを防止して、内容物をすべて排出させることができる。
【００２９】
このような閉塞防止部材５は本実施の形態に示すように、スパウト３０と一体に成形される形状であっても良いし、また、スパウト３０とは、別体として成形されたものであってもよい。スパウト３０の溶着部４０Ａからパウチ１０内に延長するようにして設けられる閉塞防止部材５は、最終的に、消費者により内容物が吸引されるときに、パウチ１０が閉塞状態にならないで最後まで吸引を可能とするための機能を示す。
【００３０】
また、閉塞防止部材５をスパウト３０とは別体として設ける場合は、溶着部４０Ａと接合できる構造を有するリブであればよく、その接合は、例えば、溶着部４０Ａの筒部内面に嵌合用の凹部を形成し、また、十字状の閉塞防止部材５の接合部には、前記凹部に嵌合する凸部を形成すればよい。
【００３１】
このように、閉塞防止部材５はスパウト３０と一体であってもよく、別体であってもよい。また閉塞防止部材５は中空の円筒形状であってもよく、断面十字状であってもよい。閉塞防止部材５の形状はパウチ１０にスパウト３０を取付けた直後から、内容物を充填し、流通、保管、そして消費されるまでの間、パウチ１０を傷つけないために、その先端部は角丸とすることが望ましい。また、閉塞防止部材５の外形は全長にわたって同一である必要はなく、たとえば、先端にいくに従って幅狭となしたり、一部切り欠きが存在してもよい。
【００３２】
また、キャップ５０がスパウト３０に螺着される場合、スパウト３０の筒部３１の外周面のうち第３フランジ部３７よりもキャップ５０側に位置する部分には、キャップ５０の内周面に設けられたネジ山と係合するネジ山３９が設けられている。
【００３３】
（キャップ）
次にキャップ５０について、図１を参照して説明する。図１に示すように、キャップ５０は、スパウト３０の筒部３１に対して脱着自在な第１部分５１を含んでいる。脱着の方式が上述のように螺着である場合、第１部分５１の内周面には、スパウト３０の筒部３１の上述のネジ山３９と係合するネジ山（図示せず）が設けられている。
【００３４】
またキャップ５０は、図１に示すように、第１部分５１よりもパウチ１０側に位置する第２部分５２をさらに含んでいてもよい。第２部分５２は、キャップ５０の第１部分５１の不正な開封を防止するためのものであり、いわゆるピルファープルーフバンドとして機能するものである。第２部分５２が設けられる場合、第１部分５１と第２部分５２との間には、第１部分５１と第２部分５２とを結合する結合部５３が設けられる。この結合部５３が破断されているかどうかを確認することにより、キャップ５０の不正な開封が生じていたかどうかを判断することができる。
【００３５】
またキャップ５０が第２部分５２を有する場合、スパウト３０は、図２および図３に示すように、キャップ５０の第２部分５２を係止するためのラチェット部４３をさらに有していてもよい。この場合、キャップ５０の第２部分５２の内周面には、ラチェット部４３の外縁よりも筒部３１側の位置まで突出した突出部が設けられていてもよい。この場合、キャップ５０の第２部分５２の突出部がスパウト３０のラチェット部４３によって係止されることにより、キャップ５０から結合部５３が破断され、キャップ５０の不正な開封が生じていたかどうかを判断することができる。
【００３６】
次にこのような構成からなる本実施の形態の作用について説明する。
【００３７】
まず上述のような構成を持つスパウト３０が準備され、このスパウト３０はパウチ１０の上部に位置決めされる。
【００３８】
次にスパウト３０はその溶着部４０Ａにおいてパウチ１０の上部のシール部１５にヒートシールされ、このようにしてスパウト付きパウチ１０Ａが得られる。
【００３９】
この場合、スパウト３０の溶着部４０Ａは対向する一対の平坦面４０を含むため、パウチ１０に対して容易かつ確実に位置決めしてヒートシールすることができる。
【００４０】
その後スパウト付きパウチ１０Ａ内に内容物が充填され、スパウト３０にキャップが装着される。
【００４１】
スパウト付きパウチ１０Ａの使用に際し、消費者はキャップ５０を開いて内容物を排出し、その後キャップ５０を再度閉じる。
【００４２】
このようなキャップ５０の開閉作業において、消費者は一方の手でスパウト３０の溶着部４０Ａの一対の平坦面４０を把持し、他方の手でキャップ５０の開閉作業を行なう。
【００４３】
この場合、消費者は溶着部４０Ａの一対の平坦面４０を把持することができるため、指の腹が平坦面４０を滑ることなく、安定してスパウト３０を保持することができる。
【符号の説明】
【００４４】
５    閉塞防止部材
５ａ  開口
１０  パウチ
１１  第１面
１２  第２面
３０  スパウト
３１  筒部
３３  第１フランジ部
３５  第２フランジ部
３７  第３フランジ部
３９  ネジ山
４０  平坦面
４０Ａ  溶着部
４１  先端部
４２  傾斜面
４３  横リブ
５０  キャップ
【図１】
2018131256.tif 000003
【図２】
2018131256.tif 000004
【図３】
2018131256.tif 000005
【図４】
2018131256.tif 000006
【図５】
2018131256.tif 000007